【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
熱交換器を備え、
前記熱交換器は、
複数のほぼ平行な管部分を含む多経路構成で配置され、延びて、電子機器を冷却するように構成される冷却プレートに連結される円筒状の管と、
互いに平行な複数の面に配置され、前記管部分に連結され、間隙をおいて隔てられる隣接した前記管部分のための、密接した間隔の複数の平面的なプレートフィンとを備えることを特徴とする装置。
【請求項２】
長手方向軸、及び前記複数のほぼ平行な管部分を形成する円形断面を有する前記管と、
前記管部分に連結される前記フィンを形成し、前記長手方向軸にほぼ垂直に配置され、前記管を受けるような円形の穴によって内側で横断される、密接した間隔のプレートの積重体とをさらに有することを特徴とする請求項１に記載の装置。
【請求項３】
前記管内に収容されるエチレングリコールベースの流体をさらに備えることを特徴とする請求項１に記載の装置。
【請求項４】
前記複数の平面的なプレートの前記フィンの前記互いに平行な面に平行な方向の空気流での空気流経路を生成するように構成される少なくとも１つのファンをさらに備え、
前記間隔をおいて隔てられる隣接した前記管部分のうちの少なくとも２つは、前記空気流経路に沿って順次配置されることを特徴とする請求項１に記載の装置。
【請求項５】
前記複数の平面的なプレートの前記フィンの前記互いに平行な面に平行な方向の空気流での空気流経路を生成するように構成される少なくとも１つのファンをさらに備え、
前記間隔をおいて隔てられる隣接した前記管部分のうちの少なくとも２つは、前記空気流経路に垂直な角度で配置されることを特徴とする請求項１に記載の装置。
【請求項６】
前記複数の平面的なプレートの前記フィンの前記互いに平行な面に平行な方向の空気流での空気流経路を生成するように構成される少なくとも１つのファンをさらに備え、
前記間隔をおいて隔てられる隣接した前記管部分のうちの少なくとも２つは、前記空気流経路に沿って順次配置され、前記間隔をおいて隔てられる隣接した前記管部分のうちの少なくとも２つは、前記空気流経路に垂直な角度で配置されることを特徴とする請求項１に記載の装置。
【請求項７】
空気流入口穴および出口穴と、空気流経路に沿って前記入口穴から前記出口穴へ空気を循環させることが可能なファンとを含むシャシと、
前記シャシ内に搭載された複数の部品と、
液体−空気熱交換器とを備え、
前記液体‐空気熱交換器は、
複数のほぼ平行な管部分を含む多経路構成で配置され、延びて、電子機器を冷却するように構成される冷却プレートに連結される円筒状の管と、
互いに平行な複数の面に配置され、前記管部分に連結され、間隙をおいて隔てられる隣接した前記管部分のための、密接した間隔の複数の平面的なプレートフィンとを有することを特徴とする電子システム。
【請求項８】
前記熱交換器は、
長手方向軸、及び密接して離間されほぼ平行な前記複数の管部分を形成する円形断面を有する管と、
前記管部分に連結される前記フィンを形成し、前記長手方向軸にほぼ垂直に配置され、前記管を受けるような円形の穴によって内側で横断される、密接した間隔のプレートの積重体とをさらに備え、
前記プレートは、前記隣接する前記複数の管部分の間の熱伝達を実質的に排除するために十分な距離だけ、隣接する複数のプレート間に間隙を残すように、前記隣接した管部分の方に延びていることを特徴とする請求項７に記載の電子システム。
【請求項９】
前記熱交換器が、前記管内に収容されるエチレングリコールベースの流体をさらに備えることを特徴とする請求項７に記載の電子システム。
【請求項１０】
前記熱交換器は、前記複数の平面的なプレートの前記フィンの前記互いに平行な面に平行な方向の空気流での空気流経路を生成するように構成される少なくとも１つのファンをさらに備え、
前記間隔をおいて隔てられる隣接した前記管部分のうちの少なくとも２つは、前記空気流経路に沿って順次配置されることを特徴とする請求項８に記載の電子システム。
【請求項１１】
前記熱交換器は、前記複数の平面的なプレートの前記フィンの前記互いに平行な面に平行な方向の空気流での空気流経路を生成するように構成される少なくとも１つのファンをさらに備え、
前記間隔をおいて隔てられる隣接した前記管部分のうちの少なくとも２つは、前記空気流経路に垂直な角度で配置されることを特徴とする請求項７に記載の電子システム。
【請求項１２】
前記熱交換器は前記複数の平面的なプレートの前記フィンの前記互いに平行な面に平行な方向の空気流での空気流経路を生成するように構成される少なくとも１つのファンをさらに備え、
前記間隔をおいて隔てられる隣接した前記管部分のうちの少なくとも２つは、前記空気流経路に沿って順次配置され、前記間隔をおいて隔てられる隣接した前記管部分のうちの少なくとも２つは、前記空気流経路に垂直な角度で配置されることを特徴とする請求項７に記載の電子システム。
【請求項１３】
冷却用流体が循環することができる内部通路を有する配管と、
前記配管に連結され、前記配管を通して前記冷却用流体を圧送することが可能なポンプと、
前記配管に連結された熱交換器とを備え、
前記熱交換器は、
複数のほぼ平行な管部分を含む多経路構成で配置され、延びて、電子機器を冷却するように構成される冷却プレートに連結される円筒形の管と、
互いに平行な複数の面に配置され、前記管部分に連結され、間隙をおいて隔てられる隣接した前記管部分のための、密接した間隔の複数の平面的なプレートのフィンとを有することを特徴とする液体循環冷却システム。
【請求項１４】
前記配管及び管内に収容されるエチレングリコールベースの冷却流体をさらに備えることを特徴とする請求項１３に記載のシステム。
【請求項１５】
前記熱交換器を通る空気を駆動するように構成されるファンをさらに備えることを特徴とする請求項１３に記載のシステム。
【請求項１６】
前記熱交換器に連結される冷却プレートをさらに備えることを特徴とする請求項１３に記載のシステム。
【請求項１７】
前記熱交換器は、
長手方向軸、及び密接して離間されほぼ平行な前記複数の管部分を形成する円形断面を有する管と、
前記管部分に連結される前記フィンを形成し、前記長手方向軸にほぼ垂直に配置される密接した間隔のプレートの積重体とをさらに備え、
前記プレートは、前記隣接する前記複数の管部分の間の熱伝達を実質的に排除するために十分な距離だけ、隣接する複数のプレート間に間隙を残すように前記隣接した管部分の方に延びていることを特徴とする請求項１３に記載のシステム。
【請求項１８】
前記熱交換器は、前記複数の平面的なプレートの前記フィンの前記互いに平行な面に平行な方向の空気流での空気流経路を生成するように構成される少なくとも１つのファンをさらに備え、
前記間隔をおいて隔てられる隣接した前記管部分のうちの少なくとも２つは、前記空気流経路に沿って順次配置されることを特徴とする請求項１３に記載のシステム。
【請求項１９】
前記熱交換器は、前記複数の平面的なプレートの前記フィンの前記互いに平行な面に平行な方向の空気流での空気流経路を生成するように構成される少なくとも１つのファンをさらに備え、
前記間隔をおいて隔てられる隣接した前記管部分のうちの少なくとも２つは、前記空気流経路に垂直な角度で配置されることを特徴とする請求項１３に記載のシステム。
【請求項２０】
前記熱交換器は、前記複数の平面的なプレートの前記フィンの前記互いに平行な面に平行な方向の空気流での空気流経路を生成するように構成される少なくとも１つのファンをさらに備え、
前記間隔をおいて隔てられる隣接した前記管部分のうちの少なくとも２つは、前記空気流経路に沿って順次配置され、前記間隔をおいて隔てられる隣接した管部分のうちの少なくとも２つは、前記空気流経路に垂直な角度で配置されることを特徴とする請求項１３に記載のシステム。
【請求項２１】
長手方向軸に沿って延び、隣接する複数の平坦断面の管部分を連結するために約１８０°折り曲げられている平坦管と、
前記隣接する複数の平坦断面の管部分の内側に連結される、複数の折り重ねられたフィンとを備え、
前記隣接する複数の平坦断面の管部分の前記折り重ねられたフィンは、間隙によって離間されることを特徴とする熱交換器。
【請求項２２】
前記隣接する複数の平坦断面の管部分の前記内側に沿って、前記長手方向軸で可変するピッチを有する複数の折り重ねられたフィンをさらに備えることを特徴とする請求項２１に記載の熱交換器。
【請求項２３】
前記長手方向軸に概して垂直に延びる、互いに平行な複数の平面で配置される折り重ねられた複数の前記フィンと、
前記複数の折り重ねられたフィンの、前記互いに平行な複数の平面にほぼ平行な方向の空気流での前記空気流経路を生成するように配置される少なくとも1つのファンとをさらに備えることを特徴とする請求項２１に記載の熱交換器。
【請求項２４】
集積回路と、
前記集積回路を冷却するように配置される冷却プレートと、
前記冷却プレートに連結される配管と、
第１、２の端部に延びる前記平坦管と、
前記平坦な前記管部分の前記第１、２の端部を前記配管にそれぞれ連結するように構成される第１、２の移行キャップとをさらに備えることを特徴とする請求項２１に記載の熱変換器。
【請求項２５】
前記管部分の幅にわたって拡がる内部通路を有することによって、前記平坦管をとおる液体の圧力降下が低減される、前記平坦管をさらに備えることを特徴とする請求項２１に記載の熱交換器。